(57)【特許請求の範囲】
【請求項１】
引戸類の収容空間に固定されて下方が開放された収容腔を有する取付具本体と、取付具本体の収容腔に収容される戸車と、取付具本体と戸車との間に設けられて取付具本体に対して戸車を着脱可能に掛合させる掛合手段と、から構成し、掛合手段を、取付具本体に設けられて戸車の俯仰軸に掛合される弾片と、取付具本体に設けられて戸車の俯仰軸とは反対側の下壁が引掛けられる鉤片とで構成した事を特徴とする戸車取付具。
【発明の詳細な説明】
【０００１】
【発明の属する技術分野】
本発明は、例えば引戸や障子等の引戸類に適用される戸車取付具に関する。
【０００２】
【従来の技術】
一般に、引戸類に於ては、その開閉動作を軽快にする為に戸車が設けられている。戸車は、引戸類の下側に形成された収容空間に収容した後、取付穴に取付ネジを螺入する事に依り引戸類に取り付けられている。
【０００３】
【発明が解決しようとする課題】
ところが、この様な方法では、戸車の交換の都度、取付ネジを螺脱したり螺入したりせねばならなかったので、交換作業が非常に煩雑であった。
本発明は、叙上の問題点に鑑み、これを解消する為に創案されたもので、その目的とする処は、戸車の交換が非常に簡単に行なえる様にした戸車取付具を提供するにある。
【０００４】
【課題を解決するための手段】
本発明の戸車取付具は、基本的には、引戸類の収容空間に固定されて下方が開放された収容腔を有する取付具本体と、取付具本体の収容腔に収容される戸車と、取付具本体と戸車との間に設けられて取付具本体に対して戸車を着脱可能に掛合させる掛合手段と、から構成した事に特徴が存する。
【０００５】
取付具本体は、予め引戸類の収容空間に挿入されて固定される。
戸車を装着する場合は、戸車を取付具本体の下方から収容腔に押し入れる。そうすると、戸車は、収容腔に収容されて掛合手段に依り掛合保持される。
戸車を離脱する場合は、掛合手段の掛合力より大きな力で戸車を下方へ引き出す。そうすると、掛合手段の掛合が解除されて戸車が取付具本体から外脱される。
従って、戸車を交換するに際しては、取付具本体に対して戸車を挿脱するだけで良く、所謂ワンタッチで作業が完了する。
【０００６】
【発明の実施の形態】
以下、本発明の実施の形態を、図面に基づいて説明する。
図１は、本発明の戸車取付具を示す縦断側面図。図２は、図１の縦断正面図。図３は、図１の取付具本体を示す斜視図である。
戸車取付具１は、取付具本体２、戸車３、掛合手段４とからその主要部が構成されている。
【０００７】
取付具本体２は、引戸類Ａの収容空間Ｂに固定されて下方が開放された収容腔５を有するもので、この例では、上壁６と、これの前後端から下方に延びる前後壁７と、これらの下端から前後外側に延びる前後の下壁８と、後側の下壁８の後端から下方に延びる短後壁９と、上壁６の中程から下方に延びる左右の短側壁１０と、上壁６に穿設された前後の取付穴１１とから成り、左右両方と下方が開放された段付凸状を呈して居り、金属板をプレス加工して作製されている。取付具本体２の内部には、前記各壁６〜１０に依り下方が開放された収容腔５が形成されている。
引戸類Ａの下側には、取付具本体２に呼応した段付凹状の収容空間Ｂが形成されている。
【０００８】
戸車３は、取付具本体２の収容腔５に収容されるもので、この例では、戸車本体１２と、これの後側に俯仰軸１３に依り俯仰可能に設けられた俯仰体１４と、これの中程に車軸１５に依り回転可能に設けられた車輪１６と、戸車本体１２に対して俯仰体１４を俯仰させる高さ調節手段１７から成っている。
戸車本体１２は、左右の側壁１８と、これらの下端どおしを連結して前後外側に延出する前後の下壁１９と、これらの間に形成された窓穴２０と、各下壁１９を波形にしてこれの下側に形成された凹溝２１と、各下壁１９に穿設された取付穴２２とを備えて居り、金属板をプレス加工して作製されている。
俯仰体１４は、左右の側壁２３と、これらの上部どうしを連結する前後の上壁２４と、これらの間に形成された窓穴２５とを備えて居り、金属板をプレス加工して作製されている。
車輪１６は、Ｕ型のものにしてあり、合成樹脂に依り作製されている。
高さ調節手段１７は、戸車本体１２の前側の下壁１９に穿設されたボルト穴２６と、俯仰体１４の前側の上壁２４に螺設した螺孔２７と、ボルト穴２６に挿通されて螺孔２７に螺合されたボルト２８と、これに挿通されて戸車本体１２の前側の下壁１９と俯仰体１４の前側の上壁２４との間に介装されたテーパ状で圧縮型のスプリング２９とから成っている。
【０００９】
掛合手段４は、取付具本体２と戸車３との間に設けられて取付具本体２に対して戸車３を着脱可能に掛合させるもので、この例では、取付具本体２に設けられて戸車３の俯仰軸１３に掛合される弾片３０と、取付具本体２に設けられて戸車３の俯仰軸１３とは反対側の下壁１９が引掛けられる鉤片３１とで構成されている。
弾片３０は、取付具本体２の後側の後壁７の前面に溶接された垂直辺と、これの下端から前下斜めに延びる斜辺と、これの下端から後上にくるみ込まれた半円辺とから成り、取付具本体２とは別体でバネ鋼に依り作製されている。
鉤片３１は、取付具本体２の前側の下壁８の前端から下方そして後方に略Ｌ型に折曲されて取付具本体２とは一体的に形成され、取付具本体２の凹溝２１に呼応させて下壁８より狭幅にしてある。
【００１０】
次に、この様な構成に基づいて作用を述解する。
取付具本体２は、予め引戸類Ａの収容空間Ｂに挿入されて取付穴１１に木ネジ等の取付ネジＣが螺入される事に依り引戸類Ａに固定される。
戸車３を装着する場合は、取付具本体２の前側に設けられた掛合手段４の鉤片３１に戸車３の前側の下壁１９を引掛けた後、戸車３の後側を持ち上げて取付具本体２の収容腔５に押し入れる。そうすると、取付具本体２の後側に設けられた掛合手段４の弾片３０が戸車３の俯仰軸１３に掛合され、戸車３が収容腔５に収容されて掛合手段４に依り掛合保持される。
この時、掛合手段４の鉤片３１が戸車３の凹溝２１に引掛けられると共に、取付具本体２の短側壁１０が戸車３の両側壁１８の内側に近接して位置するので、戸車３に側方力が作用してもこれらが当合して戸車３が横方向に大きく移動する事がない。
戸車３を離脱する場合は、掛合手段４の掛合力より大きな力で戸車３の後側を下方へ引き出す。そうすると、掛合手段４の弾片３０と戸車３の俯仰軸１３との掛合が解除されると共に、掛合手段４の鉤片３１と戸車３の前側の下壁１９との掛合が解除され、戸車３が取付具本体２から外脱される。
従って、戸車３を交換するに際しては、取付具本体２に対して戸車３を挿脱するだけで良く、所謂ワンタッチで作業が完了する。
戸車３は、高さ調節手段１７のボルト２８をドライバ等の工具（図示せず）に依り回転させる事に依り俯仰体１４を俯仰させて車輪１６の高さを調節する事ができる。
本例では、戸車３の俯仰軸１３と下壁１９を掛合手段４に利用する様にしたので、戸車３を何等改造する必要がなく、極めて合理的である。
【００１３】
尚、取付具本体２は、先の例では、段付凸状であったが、これに限らず、例えば他の形状でも良い。
取付具本体２は、先の例では、取付ネジＣで引戸類Ａに固定したが、これに限らず、例えば接着剤等で固定しても良い。
戸車３は、先の例では、高さ調節手段１７を備えたものであったが、これに限らず、仮えばこれを割愛したものでも良い。
掛合手段４は、先の例では、戸車３の俯仰軸１３と下壁１９とを利用するものであったが、これに限らず、例えば戸車３の他の箇所を利用するものでも良い。
【００１４】
【発明の効果】
以上、既述した如く、本発明に依れば、次の様な優れた効果を奏する事ができる。
（１）  取付具本体、戸車、掛合手段とで構成し、とりわけ下方が開放された収容腔を有する取付具本体を予め引戸類の収容空間に固定して置くと共に、この様な取付具本体と戸車との間に取付具本体に対して戸車を着脱可能に掛合させる掛合手段を設けたので、戸車の交換が非常に簡単に行なえる。
（２）  下方が開放された収容腔を有する取付具本体を予め引戸類の収容空間に固定して置くと共に、この様な取付具本体と戸車との間に取付具本体に対して戸車を着脱可能に掛合させる掛合手段を設けたので、誰が交換作業を行なっても、常に適正に戸車を取付ける事ができ、常に円滑な引戸類の開閉が確保できる。
【図面の簡単な説明】
【図１】本発明の戸車取付具を示す縦断側面図。
【図２】図１の縦断正面図。
【図３】図１の取付具本体を示す斜視図。
【符号の説明】
１…戸車取付具、２…取付具本体、３…戸車、４…掛合手段、５…収容腔、６，２４…上壁、７…前後壁、８，１９…下壁、９…短後壁、１０…短側壁、１１，２２…取付穴、１２…戸車本体、１３…俯仰軸、１４…俯仰体、１５…車軸、１６…車輪、１７…高さ調節手段、１８，２３…側壁、２０，２５…窓穴、２１…凹溝、２６…ボルト穴、２７…螺孔、２８…ボルト、２９…スプリング、３０…弾片、３１…鉤片、Ａ…引戸類、Ｂ…収容空間、Ｃ…取付ネジ。
【図１】
0003620929.tif 000002
【図２】
0003620929.tif 000003
【図３】
0003620929.tif 000004